(57)【要約】【課題】内枠が開状態である場合に遊技媒体を抜き取っても、抜き取られた遊技媒体が散乱してしまうことがないという利点を保持しつつ、遊技者が不正に遊技媒体を獲得することを抑制し、遊技場側の損失を抑えることが可能な遊技機の提供【解決手段】内枠が外枠から開けられた開状態である場合に球抜きスイッチが押下されると、賞球払出装置３５のスプロケット４４が正方向ＳＨに回転し、遊技球８が受皿用排出通路３８へ送り出され（矢印ＹＳ参照）、その結果、遊技球８を貯留するタンクから遊技機の上受け皿へ遊技球８が排出される。一方、内枠が閉状態である場合に球抜きスイッチが押下されると、スプロケット４４が逆方向ＧＨに回転し、遊技球８が排出口用排出通路３９へ送り出され（矢印ＹＧ参照）、その結果、遊技球８を貯留するタンクから、遊技機の外部へ遊技球８を排出する遊技球排出口５１へ遊技球８が排出される。【選択図】図３
2008104646.tif 000002
【特許請求の範囲】
【請求項１】
遊技機の前面側に設けられ遊技に提供される遊技媒体を貯留する受皿と、遊技機の後面側に設けられ上記遊技の賞品として提供される遊技媒体を貯留する貯留手段と、遊技機の後面側に設けられ上記遊技に利用された遊技媒体を排出する媒体排出口とを有する内枠が外枠に対して開閉可能に取り付けられた遊技機であって、
操作が可能な操作手段と、
上記内枠の上記外枠に対する開閉状態を検出する開閉検出手段と、
上記操作手段が操作され、且つ上記内枠が開状態であると上記開閉検出手段により検出されている場合に、上記貯留手段と上記受皿との間を上記遊技媒体が流下可能に連通する第１の排出手段と、
上記操作手段が操作され、且つ上記内枠が閉状態であると上記開閉検出手段により検出されている場合に、上記貯留手段と上記媒体排出口との間を上記遊技媒体が流下可能に連通する第２の排出手段と
を備えることを特徴とする遊技機。
【請求項２】
上記第１の排出手段は、上記貯留手段と上記受皿との間に設けられた第１の排出通路と、該第１の排出通路に上記遊技媒体を流下させる第１の流下手段とを備え、
上記第２の排出手段は、上記貯留手段と上記媒体排出口との間に設けられた第２の排出通路と、該第２の排出通路に上記遊技媒体を流下させる第２の流下手段とを備える
ことを特徴とする請求項１に記載の遊技機。
【請求項３】
上記第１の流下手段は、正方向に回転駆動された賞球払出装置であり、
上記第２の流下手段は、逆方向に回転駆動された賞球払出装置である
ことを特徴とする請求項２に記載の遊技機。
【請求項４】
遊技機の前面側に設けられ遊技に提供される遊技媒体を貯留する受皿と、遊技機の後面側に設けられ上記遊技の賞品として提供される遊技媒体を貯留する貯留手段と、遊技機の後面側に設けられ上記遊技に利用された遊技媒体を排出する媒体排出口とを有する内枠が外枠に対して開閉可能に取り付けられた遊技機であって、
操作が可能な操作手段と、
上記内枠の上記外枠に対する開閉状態を検出する開閉検出手段と、
上記操作手段が操作され、且つ上記内枠が開状態であると上記開閉検出手段により検出されている場合のみに、上記貯留手段と上記受皿との間を上記遊技媒体が流下可能に連通する第１の排出手段と
を備えることを特徴とする遊技機。
【請求項５】
上記操作手段が操作され、且つ上記内枠が閉状態であると上記開閉検出手段により検出されている場合に、不正が行われている旨を報知する報知手段を備える
ことを特徴とする請求項４に記載の遊技機。
【発明の詳細な説明】
【技術分野】
【０００１】
本発明は、遊技の賞品として提供される遊技媒体を貯留手段に貯留する遊技機に関し、特に、その貯留手段から遊技媒体を排出する技術に関する。
【背景技術】
【０００２】
遊技機は、遊技中の入賞によって遊技媒体の払出が必要となった際に、遊技の賞品として提供される遊技媒体を貯留する貯留手段から、遊技に提供される遊技媒体を貯留する受皿へ遊技媒体を払い出すように構成されている。
【０００３】
このような遊技機では、新しい遊技機への入れ替え作業において、入れ替え作業前に、貯留手段に貯留された遊技媒体を全て抜き取る作業を行う必要がある。
従来、遊技機の裏側に取り付けた操作手段が操作されると、遊技に利用された遊技媒体を排出する媒体排出口から貯留手段に貯留された遊技媒体を排出するように構成された遊技機が知られている。このような遊技機では、内枠が開状態である場合に操作手段が操作されると、抜き取られた遊技媒体が媒体排出口から遊技機島のカウンタ上に落下して散乱してしまうという問題点があった。
【０００４】
この問題を解決する遊技機として、遊技機の裏側に取り付けた操作手段が操作されると、貯留手段に貯留された遊技媒体を受皿へ排出するように構成されたものが知られている（例えば、特許文献１参照。）。このような特許文献１に記載の遊技機は、内枠が開状態である場合に遊技媒体を抜き取っても、抜き取られた遊技媒体が媒体排出口から遊技機島のカウンタ上に落下して散乱してしまうことがないという利点を有する。
【特許文献１】特開２０００−１２６４１０号公報
【発明の開示】
【発明が解決しようとする課題】
【０００５】
しかしながら、特許文献１に記載の遊技機は、内枠が開状態でない場合、つまり閉状態である場合に、遊技者が何らかの不正な方法、例えば、遊技機の上方の欄間を不正に開放してその開口部から腕を入れる方法等により操作手段を操作した場合でも、受皿へ遊技媒体を排出してしまう構造を有している。このため、遊技者が不正に遊技媒体を獲得して、遊技場が損失を被ってしまうという虞があった。
【０００６】
本発明は、こうした問題に鑑みなされたものであり、内枠が開状態である場合に遊技媒体を抜き取っても、抜き取られた遊技媒体が散乱してしまうことがないという利点を保持しつつ、遊技者が不正に遊技媒体を獲得することを抑制し、遊技場側の損失を抑えることが可能な遊技機の提供を目的とする。
【課題を解決するための手段】
【０００７】
上記課題を解決するための手段として、請求項１の発明の遊技機は、遊技機の前面側に設けられ遊技に提供される遊技媒体を貯留する受皿と、遊技機の後面側に設けられ上記遊技の賞品として提供される遊技媒体を貯留する貯留手段と、遊技機の後面側に設けられ上記遊技に利用された遊技媒体を排出する媒体排出口とを有する内枠が外枠に対して開閉可能に取り付けられた遊技機であって、操作が可能な操作手段と、上記内枠の上記外枠に対する開閉状態を検出する開閉検出手段と、上記操作手段が操作され、且つ上記内枠が開状態であると上記開閉検出手段により検出されている場合に、上記貯留手段と上記受皿との間を上記遊技媒体が流下可能に連通する第１の排出手段と、上記操作手段が操作され、且つ上記内枠が閉状態であると上記開閉検出手段により検出されている場合に、上記貯留手段と上記媒体排出口との間を上記遊技媒体が流下可能に連通する第２の排出手段とを備えることを要旨とする。
【０００８】
このように構成された請求項１の遊技機は、開閉検出手段によって、内枠の外枠に対する開閉状態が検出される。そして、操作手段が操作され、且つ内枠が開状態であると開閉検出手段により検出されている場合に、第１の排出手段によって、貯留手段と受皿との間を遊技媒体が流下可能に連通される。更に、操作手段が操作され、且つ内枠が閉状態であると開閉検出手段により検出されている場合に、第２の排出手段によって、貯留手段と媒体排出口との間を遊技媒体が流下可能に連通される。
【０００９】
従って、内枠が開状態である場合に操作手段が操作されると、貯留手段に貯留されている遊技媒体が受皿へ排出され、内枠が閉状態である場合に操作手段が操作されると、貯留手段に貯留されている遊技媒体が媒体排出口へ排出される。
【００１０】
請求項２の発明の遊技機は、上記第１の排出手段は、上記貯留手段と上記受皿との間に設けられた第１の排出通路と、該第１の排出通路に上記遊技媒体を流下させる第１の流下手段とを備え、上記第２の排出手段は、上記貯留手段と上記媒体排出口との間に設けられた第２の排出通路と、該第２の排出通路に上記遊技媒体を流下させる第２の流下手段とを備えることを特徴とする請求項１に記載の遊技機を要旨とする。
【００１１】
これにより、請求項１の作用に加え、第１の流下手段によって、操作手段が操作され、且つ内枠が開状態である場合に、第１の排出通路に遊技媒体が流下させられる。更に、第２の流下手段によって、操作手段が操作され、且つ内枠が閉状態である場合に、第２の排出通路に遊技媒体が流下させられる。
【００１２】
請求項３の発明の遊技機は、上記第１の流下手段は、正方向に回転駆動された賞球払出装置であり、上記第２の流下手段は、逆方向に回転駆動された賞球払出装置であることを特徴とする請求項２に記載の遊技機を要旨とする。
【００１３】
尚、正方向とは、従前の賞球払出装置が賞球を払い出す時に回転駆動される方向と同じ方向である。
これにより、請求項２の作用に加え、正方向及び逆方向に回転駆動された賞球払出装置によって、貯留手段に貯留されている遊技媒体が排出される。
【００１４】
請求項４の発明の遊技機は、遊技機の前面側に設けられ遊技に提供される遊技媒体を貯留する受皿と、遊技機の後面側に設けられ上記遊技の賞品として提供される遊技媒体を貯留する貯留手段と、遊技機の後面側に設けられ上記遊技に利用された遊技媒体を排出する媒体排出口とを有する内枠が外枠に対して開閉可能に取り付けられた遊技機であって、操作が可能な操作手段と、上記内枠の上記外枠に対する開閉状態を検出する開閉検出手段と、上記操作手段が操作され、且つ上記内枠が開状態であると上記開閉検出手段により検出されている場合のみに、上記貯留手段と上記受皿との間を上記遊技媒体が流下可能に連通する第１の排出手段とを備えることを要旨とする。
【００１５】
このように構成された請求項４の遊技機は、開閉検出手段によって、内枠の外枠に対する開閉状態が検出される。そして、第１の排出手段によって、操作手段が操作され、且つ内枠が開状態であると開閉検出手段により検出されている場合のみに、貯留手段と受皿との間を遊技媒体が流下可能に連通される。
【００１６】
従って、内枠が開状態である場合に操作手段が操作されると、貯留手段に貯留されている遊技媒体が受皿へ排出される。一方、閉状態である場合に操作手段が操作されても、貯留手段に貯留されている遊技媒体は排出されない。
【００１７】
請求項５の発明の遊技機は、上記操作手段が操作され、且つ上記内枠が閉状態であると上記開閉検出手段により検出されている場合に、不正が行われている旨を報知する報知手段を備えることを特徴とする請求項４に記載の遊技機を要旨とする。
【００１８】
これにより、請求項４の作用に加え、報知手段によって、内枠が閉状態であると開閉検出手段により検出されている場合に、操作手段が操作されると、不正が行われている旨が報知される。
【発明の効果】
【００１９】
請求項１の発明の遊技機は、内枠が開状態である場合に操作手段が操作されると、貯留手段に貯留されている遊技媒体が受皿へ排出される。このため、内枠が開状態である場合に遊技媒体を抜き取っても、抜き取られた遊技媒体が遊技機島のカウンタに散乱してしまうことがないという効果を奏する。
【００２０】
更に、内枠が閉状態である場合に操作手段が操作されると、貯留手段に貯留されている遊技媒体が媒体排出口へ排出される。このため、内枠が閉状態である場合に、遊技者が何らかの不正な方法、例えば、遊技機の上方の欄間を不正に開放してその開口部から腕を入れる方法等により操作手段を操作しても、受皿に遊技媒体が排出されることがない。従って、遊技者が不正に遊技媒体を獲得することを抑制し、遊技場側の損失を抑えることができるという極めて優れた効果を奏する。
【００２１】
また、媒体排出口から排出された遊技媒体を受け入れて計数する計数手段（例えば、アウト球計数装置）を設置し、この計数手段による計数により、遊技者が不正に操作手段を操作したか否かを検出することが可能となる。具体的には、通常の遊技により媒体排出口から排出される単位時間当たりの遊技媒体数と、遊技媒体の抜き取りにより媒体排出口から排出される単位時間当たりの遊技媒体数との間には大きな差があるため、単位時間当たりの遊技媒体数が所定値を越えたら、不正が行われたと判断するようにするとよい。
【００２２】
請求項２の発明の遊技機は、請求項１の効果に加え、遊技媒体を流下させる通路と、この通路を開閉する手段とで、第１の排出手段及び第２の排出手段を構成することができる。この結果、例えば、第１の排出通路と第１の流下手段とを従前の賞球払出装置で流用することが可能になる。
【００２３】
請求項３の発明の遊技機は、請求項２の効果に加え、遊技の賞品として提供される遊技媒体を受皿へ払い出す手段と、貯留手段から遊技媒体を排出する手段とを、正方向及び逆方向に回転駆動された賞球払出装置により兼用することができる。即ち、遊技の賞品として提供される遊技媒体を受皿へ払い出す手段と、貯留手段から遊技媒体を排出する手段とが別々に設置された遊技機と比べて、遊技機の構成を簡略化することができる。
【００２４】
請求項４の発明の遊技機は、内枠が開状態である場合に操作手段が操作されると、貯留手段に貯留されている遊技媒体が受皿へ排出される。このため、内枠が開状態である場合に遊技媒体を抜き取っても、抜き取られた遊技媒体が遊技機島のカウンタに散乱してしまうことがないという効果を奏する。
【００２５】
更に、内枠が閉状態である場合に操作手段が操作されても、貯留手段に貯留されている遊技媒体は排出されない。このため、内枠が閉状態である場合に、遊技者が何らかの不正な方法、例えば、遊技機の上方の欄間を不正に開放してその開口部から腕を入れる方法等により操作手段を操作しても、受皿に遊技媒体が排出されることがない。従って、遊技者が不正に遊技媒体を獲得することを抑制し、遊技場側の損失を抑えることができるという極めて優れた効果を奏する。
【００２６】
請求項５の発明の遊技機は、請求項４の効果に加え、不正が行われている旨を知らせることが可能になる。従って、遊技場のスタッフが容易に、不正を行っている遊技者を発見するができる。
【発明を実施するための最良の形態】
【００２７】
（第１実施形態）
以下に本発明の第１実施形態について図面をもとに説明する。
図１は本発明が適用された遊技機１の正面図、図２は遊技機１の背面図、図３は賞球払出装置３５の構成を説明する断面図、図４は遊技球排出口５１と遊技球回収装置５３の配置を説明するための遊技機１の一部背面図、図５は遊技機１の制御系のブロック図である。
【００２８】
図１に示す遊技機１は、図示しない遊技場に来場した遊技者にパチンコ遊技を提供するものであって、遊技機島５５（図１では不図示。図４参照）に取り付けられる外枠３と、外枠３に開閉可能に取り付けられた内枠５と、内枠５に取り付けられ、遊技者に対面して配置された遊技盤７と、遊技者が遊技行為を行うために遊技盤７上に遊技媒体としての遊技球８を発射するためのハンドル９と、遊技盤７における遊技行為の結果として提供される賞品、ここでは遊技球８（賞品として払い出される遊技球８を賞球と言う。）を貯留する上受け皿１１と、上受け皿１１から排出される遊技球８を受ける下受け皿１３と、内枠５に取り付けられ、遊技を提供するための制御を行う主制御基板２１と、内枠５が開放されるとその開放を検出する内枠開放検出スイッチ２３とを備えている。
【００２９】
図２に示すように、遊技機１の裏側の上側には、遊技球８を貯留するタンク３１が設けられ、その下側には遊技球８をタンク３１から下流側に案内するタンクレール３３が設けられている。また、タンクレール３３の下流側には、遊技者に賞球を払い出す賞球払出装置３５が設けられ、遊技機１の裏側の上側には、タンク３１やタンクレール３３等から遊技球８を抜く際に押下される球抜きスイッチ３７が設けられる。
【００３０】
また、遊技機１の裏側には、特許文献１に記載の遊技機と同様にして賞球払出装置３５により払い出される遊技球８を上受け皿１１へ排出する受皿用排出通路３８（図２では不図示。図３参照）と、賞球払出装置３５により払い出される遊技球８を遊技球排出口５１（図２では不図示。図４参照）へ排出する排出口用排出通路３９（図２では不図示。図３参照）とが設けられる。
【００３１】
図３に示すように、賞球払出装置３５は、タンクレール３３からの遊技球８を導入するタンク用導入通路４１と、受皿用排出通路３８へ排出するための遊技球８を導入する受皿用導入通路４２と、排出口用排出通路３９へ排出するための遊技球８を導入する排出口用導入通路４３と、タンク用導入通路４１から導入された遊技球８を受皿用導入通路４２または排出口用導入通路４３の何れか一方へ送り出すスプロケット４４とを備える。
【００３２】
スプロケット４４は、タンク用導入通路４１が受皿用導入通路４２及び排出口用導入通路４３に合流する箇所に設置され、外周面に遊技球８を載置する凹部４４ａが複数形成された部材である。この凹部４４ａは、遊技球８を１個のみ載せることが可能な大きさに構成されている。またスプロケット４４は、払出モータ６３（図３では不図示。図５参照）により駆動されて、回転軸４４ｂを中心に回転するように構成されている。
【００３３】
これにより、スプロケット４４が回転軸４４ｂを中心に正方向ＳＨに回転すると、遊技球８が１個ずつ受皿用排出通路３８へ送り出され（矢印ＹＳ参照）、逆方向ＧＨに回転すると、遊技球８が１個ずつ排出口用排出通路３９へ送り出される（矢印ＹＧ参照）。
【００３４】
また図４に示すように、遊技機１の裏側の下部には、遊技盤７上に発射された遊技球８及び排出口用排出通路３９へ排出された遊技球８を遊技機１の外部へ排出する遊技球排出口５１が設けられている。また、遊技球回収装置５３は、遊技機１の遊技球排出口５１の下方において遊技機島５５に取り付けられており、遊技球排出口５１から下方ＹＫに落下する遊技球８を受け入れて、受け入れた遊技球８を、遊技機島５５の下部に配置される回収樋５７へ案内する機能を備える。
【００３５】
また図５に示すように、遊技機１には、主制御基板２１が具備されている。そして主制御基板２１には、遊技球８の払い出しを制御する払出制御基板６１と、主制御基板２１から出力された信号を外部のホール管理コンピュータ（不図示）に出力する外部端子板６５とが接続されている。
【００３６】
そして払出制御基板６１には、内枠開放検出スイッチ２３と、球抜きスイッチ３７と、スプロケット４４を回転駆動する払出モータ６３とが接続されている。
次に、主制御基板２１が実行する球抜き処理の手順を、図６を用いて説明する。図６は球抜き処理を示すフローチャートである。この球抜き処理は、遊技機１に電源が供給されている間に繰り返し実行される処理である。
【００３７】
この球抜き処理において、主制御基板２１は、まずＳ１０にて、球抜きスイッチ３７が押下されたか否かを判断する。ここで、球抜きスイッチ３７が押下されたと判断した場合には（Ｓ１０）、Ｓ２０にて、内枠開放検出スイッチ２３が内枠５の開放を検出したか否かを判断する。ここで、内枠５の開放を検出したと判断した場合には（Ｓ２０）、Ｓ３０にて、払出モータ６３を正回転させ、球抜き処理を一旦終了する。これにより、スプロケット４４が回転軸４４ｂを中心に正方向ＳＨ（図３参照）に回転する。
【００３８】
一方、Ｓ２０にて、内枠５の開放を検出したと判断していない場合には（Ｓ２０）、Ｓ４０にて、払出モータ６３を逆回転させ、球抜き処理を一旦終了する。これにより、スプロケット４４が回転軸４４ｂを中心に逆方向ＧＨ（図３参照）に回転する。
【００３９】
またＳ１０にて、球抜きスイッチ３７が押下されていないと判断した場合には（Ｓ１０）、Ｓ５０にて、払出モータ６３の回転を停止させ、球抜き処理を一旦終了する。これにより、スプロケット４４は回転を停止する。
【００４０】
このように構成された遊技機１は、内枠５が外枠３に対して開けられた開状態であるか否かが内枠開放検出スイッチ２３により検出される。そして、球抜きスイッチ３７が押下され、且つ内枠５が開状態である場合に、タンク３１及びタンクレール３３と上受け皿１１との間を遊技球８が流下可能に連通される（Ｓ３０）。更に、球抜きスイッチ３７が押下され、且つ内枠５が外枠３に対して閉められた閉状態である場合に、タンク３１及びタンクレール３３と遊技球排出口５１との間を遊技球８が流下可能に連通される（Ｓ４０）。
【００４１】
従って、内枠５が開状態である場合に球抜きスイッチ３７が押下されると、タンク３１及びタンクレール３３に貯留されている遊技球８が上受け皿１１へ排出される。このため、内枠５が開状態である場合に遊技球８を抜き取っても、抜き取られた遊技球８が遊技球排出口５１から遊技機島５５のカウンタ上に落下して散乱してしまうことがないという効果を奏する。
【００４２】
また、内枠５が閉状態である場合に球抜きスイッチ３７が押下されると、タンク３１に貯留されている遊技球８が遊技球排出口５１へ排出される。
このため、遊技場のスタッフが遊技球８を抜き取る場合には内枠５を開放して球抜きスイッチ３７を押下すればよいが、内枠５が閉状態である場合に、遊技者が何らかの不正な方法、例えば、遊技機１の上方の欄間を不正に開放してその開口部から腕を入れる方法等により球抜きスイッチ３７を押下しても、上受け皿１１に遊技球８が排出されることがない。従って、遊技者が不正に遊技球８を獲得することを抑制し、遊技場側の損失を抑えることができるという極めて優れた効果を奏する。
【００４３】
また、遊技球回収装置５３に受け入れられた遊技球８を計数する手段を設置することにより、遊技者が不正に球抜きスイッチ３７を押下したか否かを検出することが可能となる。具体的には、通常の遊技により遊技球排出口５１から排出される単位時間当たりの遊技球８の数と、遊技球８の抜き取りにより遊技球排出口５１から排出される単位時間当たりの遊技球８の数との間には大きな差があるため、単位時間当たりの遊技球８の数が所定値を越えたら、不正が行われたと判断するようにするとよい。
【００４４】
また、遊技の賞品として提供される遊技球８を上受け皿１１へ払い出す手段と、タンク３１から遊技球８を排出する手段とを、正方向ＳＨ及び逆方向ＧＨに回転駆動された賞球払出装置３５により兼用することができる。即ち、遊技の賞品として提供される遊技球８を上受け皿１１へ払い出す手段と、タンク３１から遊技球８を排出する手段とが別々に設置された遊技機と比べて、遊技機１の構成を簡略化することができる。
【００４５】
以上説明した実施形態において、上受け皿１１は本発明における受皿、タンク３１及びタンクレール３３は本発明における貯留手段、遊技球排出口５１は本発明における媒体排出口、球抜きスイッチ３７は本発明における操作手段、内枠開放検出スイッチ２３は本発明における開閉検出手段、受皿用排出通路３８と賞球払出装置３５とＳ３０の処理とは本発明における第１の排出手段、排出口用排出通路３９と賞球払出装置３５とＳ４０の処理とは本発明における第２の排出手段である。
【００４６】
また、受皿用排出通路３８は本発明における第１の排出通路、賞球払出装置３５は本発明における第１の流下手段及び第２の流下手段、排出口用排出通路３９は本発明における第２の排出通路である。
【００４７】
（第２実施形態）
以下に本発明の第２実施形態について図面をもとに説明する。尚、第２実施形態では、第１実施形態と異なる部分のみを説明する。
【００４８】
第２実施形態における遊技機１が第１実施形態の遊技機１と異なるのは、球抜き処理が変更された点である。
以下に、第２実施形態における球抜き処理の手順を、図７を用いて説明する。図７は第２実施形態における球抜き処理を示すフローチャートである。この球抜き処理は、遊技機１に電源が供給されている間に繰り返し実行される処理である。
【００４９】
この球抜き処理において、主制御基板２１は、まずＳ１１０にて、球抜きスイッチ３７が押下されたか否かを判断する。ここで、球抜きスイッチ３７が押下されたと判断した場合には（Ｓ１１０）、Ｓ１２０にて、内枠開放検出スイッチ２３が内枠５の開放を検出したか否かを判断する。ここで、内枠５の開放を検出したと判断した場合には（Ｓ１２０）、Ｓ１３０にて、払出モータ６３を正回転させ、球抜き処理を一旦終了する。これにより、スプロケット４４が回転軸４４ｂを中心に正方向ＳＨ（図３参照）に回転する。
【００５０】
一方、Ｓ１２０にて、内枠５の開放を検出したと判断していない場合には（Ｓ１２０）、Ｓ１４０にて、払出モータ６３の回転を停止させる。これにより、スプロケット４４は回転を停止する。その後Ｓ１５０にて、不正が行われている旨を示す不正信号を外部端子板６５へ出力し、球抜き処理を一旦終了する。これにより、不正信号がホール管理コンピュータへ出力される。
【００５１】
またＳ１１０にて、球抜きスイッチ３７が押下されていないと判断した場合には（Ｓ１１０）、Ｓ１６０にて、払出モータ６３の回転を停止させ、球抜き処理を一旦終了する。これにより、スプロケット４４は回転を停止する。
【００５２】
このように構成された遊技機１は、内枠５が外枠３に対して開けられた開状態であるか否かが内枠開放検出スイッチ２３により検出される。そして、球抜きスイッチ３７が押下され、且つ内枠５が開状態である場合のみに、タンク３１と上受け皿１１との間を遊技球８が流下可能に連通される（Ｓ１３０）。
【００５３】
従って、内枠５が開状態である場合に球抜きスイッチ３７が押下されると、タンク３１に貯留されている遊技球８が上受け皿１１へ排出される。このため、内枠５が開状態である場合に遊技球８を抜き取っても、抜き取られた遊技球８が遊技球排出口５１から遊技機島５５のカウンタ上に落下して散乱してしまうことがないという効果を奏する。
【００５４】
更に、内枠５が外枠３に対して閉められた閉状態である場合に球抜きスイッチ３７が押下されても、タンク３１に貯留されている遊技球８は排出されない。
このため、遊技場のスタッフが遊技球８を抜き取る場合には内枠５を開放して球抜きスイッチ３７を押下すればよいが、内枠５が閉状態である場合に、遊技者が何らかの不正な方法、例えば、遊技機１の上方の欄間を不正に開放してその開口部から腕を入れる方法等により球抜きスイッチ３７を押下しても、上受け皿１１に遊技球８が排出されることがない。従って、遊技者が不正に遊技球８を獲得することを抑制し、遊技場側の損失を抑えることができるという極めて優れた効果を奏する。
【００５５】
また、内枠５が閉状態である場合に、球抜きスイッチ３７を押下されると、不正が行われている旨が報知される（Ｓ１５０）。このため、不正が行われている旨を知らせることが可能になり、遊技場のスタッフが容易に、不正を行っている遊技者を発見するができる。
【００５６】
以上説明した実施形態において、受皿用排出通路３８と賞球払出装置３５とＳ１３０の処理とは本発明における第１の排出手段、Ｓ１５０の処理は本発明における報知手段である。
【００５７】
以上、本発明の一実施例について説明したが、本発明は上記実施例に限定されるものではなく、本発明の技術的範囲に属する限り種々の形態を採ることができる。
例えば上記第２実施形態においては、不正信号をホール管理コンピュータへ出力することにより、不正が行われている旨を遊技場のスタッフに報知するものを示したが、スピーカ等の音声出力手段から音声を出力させたり、遊技機島の島端に設けられる代表ランプ等の発光手段を発光させたりすることによって、遊技場のスタッフに報知するようにしてもよい。また、通常時には静止して遊技場内を監視する監視カメラを、不正が行われている際には遊技場内の様々な場所を監視するように動かすことによって、不正が行われている旨を遊技場のスタッフに気付かせるようにしてもよい。
【図面の簡単な説明】
【００５８】
【図１】遊技機１の正面図である。
【図２】遊技機１の背面図である。
【図３】賞球払出装置３５の構成を説明する断面図である。
【図４】遊技球排出口５１と遊技球回収装置５３の配置を説明するための遊技機１の一部背面図である。
【図５】遊技機１の制御系のブロック図である。
【図６】第１実施形態の球抜き処理を示すフローチャートである。
【図７】第２実施形態の球抜き処理を示すフローチャートである。
【符号の説明】
【００５９】
１…遊技機、３…外枠、５…内枠、７…遊技盤、８…遊技球、９…ハンドル、１１…上受け皿、１３…下受け皿、２１…主制御基板、２３…内枠開放検出スイッチ、３１…タンク、３３…タンクレール、３５…賞球払出装置、３７…球抜きスイッチ、３８…受皿用排出通路、３９…排出口用排出通路、４１…タンク用導入通路、４２…受皿用導入通路、４３…排出口用導入通路、４４…スプロケット、４４ａ…凹部、４４ｂ…回転軸、５１…遊技球排出口、５３…遊技球回収装置、５５…遊技機島、５７…回収樋、６１…払出制御基板、６３…払出モータ、６５…外部端子板
【図１】
2008104646.tif 000003
【図２】
2008104646.tif 000004
【図３】
2008104646.tif 000005
【図４】
2008104646.tif 000006
【図５】
2008104646.tif 000007
【図６】
2008104646.tif 000008
【図７】
2008104646.tif 000009